(57)【要約】      （修正有）【課題】熱籠もりの問題を生じさせることなく小形・軽量化できる照明器具を提供する。【解決手段】下面側を開放した形状をなし共架アームが固定されるアーム固定部２１を有するダイキャスト製の本体カバー２０と、本体カバー２０のアーム固定部２１とは反対側の領域に取り付けられた反射板１１と、本体カバー２０の残余領域に設けられた金属製の基板１２と、基板１２の反射板１１側の位置に金属ブラケット１４を介して取り付けられたランプソケット１３と、反射板１１下にランプソケット１３に取り付けられたメタルハライド型のランプ１５と、基板１２にランプ１５とは反対側の位置に取り付けられた銅鉄式安定器と、本体カバー２０の開放下面を閉鎖してランプ１５と、銅鉄式安定器を本体カバー２０内に閉止すると共にランプ１５の下方の位置に透光性のグローブ３２を有する下面カバー３０とを備える。【選択図】図１
0003154147.tif 000002
【実用新案登録請求の範囲】
【請求項１】
下面側を開放した形状をなし共架アームが固定されるアーム固定部を有するダイキャスト製の本体カバーと、
前記本体カバー内のうちの前記アーム固定部とは反対側の領域に取り付けられた反射板と、
前記本体カバー内のうちの前記アーム固定部側の残余領域に設けられた金属製の基板と、
前記基板のうち前記反射板側の位置に金属製のブラケットを介して取り付けられたランプソケットと、
前記反射板下に位置し、前記ランプソケットに取り付けられたメタルハライド型のランプと、
前記基板に前記ランプとは反対側に位置して取り付けられて前記ランプを点灯させるための銅鉄式安定器と、
前記本体カバーの開放下面を閉鎖して前記ランプ、前記銅鉄式安定器を前記本体カバー内に閉止すると共に前記ランプの下方に位置する透光性のグローブを有する下面カバーとを備えることを特徴とする照明器具。
【請求項２】
前記ランプは、セラミックバルブを有するメタルハライドランプであることを特徴とする請求項１に記載の照明器具。
【請求項３】
前記下面カバーは、前記ランプに対応する領域に長円形の開口部を有した金属枠体と、前記開口部を閉じるように前記金属枠体に取り付けられた前記グローブとからなり、
前記金属枠体には前記アーム固定部とは反対側となる端部において前記本体カバーに対して回動可能に取り付けられるヒンジ部が設けられ、
前記金属枠体の前記ヒンジ部とは反対側の端部には前記下面カバーを前記本体カバーに着脱可能に係止する係止手段が設けられていることを特徴とする請求項１又は請求項２に記載の照明器具。
【請求項４】
前記銅鉄式安定器は、安定器本体部と、コンデンサと、に分けて配置され、
前記安定器本体部は、前記基板の前記ランプ寄りに取り付けられ、
前記コンデンサは、前記基板の前記安定器本体部の取付位置よりも前記ランプから離れた位置に取り付けられていることを特徴とする請求項１ないし請求項３のいずれか一項に記載の照明器具。
【考案の詳細な説明】
【技術分野】
【０００１】
本考案は、安定器により点灯される照明器具に関する。
【背景技術】
【０００２】
従来、道路や公園の照明のための照明器具として、例えば特許文献１のものが知られている。この照明器具は、ランプ点灯用の安定器を内蔵して電柱等に取り付けられる安定器箱の上部からアームを一体に延設し、そのアーム先端にランプを備えた器具本体を取り付けた構成で、器具本体と安定器箱とを一体的に取り扱うことができる。
【先行技術文献】
【特許文献】
【０００３】
【特許文献１】特開平９−１６１９７８号公報
【考案の概要】
【考案が解決しようとする課題】
【０００４】
しかしながら、従来の器具本体・安定器一体型の照明器具は、アームを介して器具本体と安定器箱とを一体化した構成であるため、全体として大形となり、重量も重いという問題があった。また、安定器箱がアームに内蔵されているから、アームの製造コスト及び照明器具の施工工事費などの初期投資費が高くつくという問題もあった。その欠点を解消すべく器具本体に安定器を内蔵するアイディアも検討されてはいたが、器具本体内に安定器を内蔵する場合には、安定器に水が侵入しないように器具本体を密閉した防水構造としなくてはならず、そのために熱籠もりが問題となって実現できないというのが実情であった。
【０００５】
本考案は上記の点を鑑みてなされたもので、熱籠もりの問題を生じさせることなく小形・軽量化できる照明器具を提供することを目的とする。
【課題を解決するための手段】
【０００６】
本考案は、下面側を開放した形状をなし共架アームが固定されるアーム固定部を有するダイキャスト製の本体カバーと、前記本体カバー内のうちの前記アーム固定部とは反対側の領域に取り付けられた反射板と、前記本体カバー内のうちの前記アーム固定部側の残余領域に設けられた金属製の基板と、前記基板のうち前記反射板側の位置に金属製のブラケットを介して取り付けられたランプソケットと、前記反射板下に位置し、前記ランプソケットに取り付けられたメタルハライド型のランプと、前記基板に前記ランプとは反対側に位置して取り付けられて前記ランプを点灯させるための銅鉄式安定器と、前記本体カバーの開放下面を閉鎖して前記ランプ、前記銅鉄式安定器を前記本体カバー内に閉止すると共に前記ランプの下方に位置する透光性のグローブを有する下面カバーとを備えるところに特徴を有する。
【０００７】
これによれば、本体カバーと下面カバーとによって囲まれる空間にランプと安定器とが内蔵されているから、照明器具を支柱等に取り付けるには、本体カバーの取付アーム固定部に共架アームを固定し、その共架アームを電柱等の支柱に固定すればよい。この構造では、従来、必須であった共架アーム付きの安定器箱が不要になるため、全体として小形・軽量化することができる。また、共架アームは安定器を内蔵しない単純な構造にできるから、アームの製造コストを大幅に安価にすることができる。
【０００８】
この種の照明装置では、主たる発熱源はランプと銅鉄式安定器である。まず、ランプが発する熱により反射板とランプソケットとが加熱されるが、反射板はダイキャスト製の本体カバーに取り付けられているから、反射板の熱は本体カバーに伝わり、本体カバーの外表面から空気中に放散される。また、ランプソケットからの熱は、ランプソケットから金属製のブラケットを介して基板に伝達され、金属製の基板がやはり本体カバーに固定されていることから、本体カバーに伝達され、ここから放散される。一方、銅鉄式安定器は基板に固定されていることから、その熱は基板を介して本体カバーに伝達され、やはり空気中に放散される。
【０００９】
ところで、この種の照明器具における点灯装置は、銅鉄式安定器と電子式安定器に大別される。電子式安定器は、高調波や雑音電流の対策を施すために一体にパッケージ化され、一箇所にまとめて設置される。一方、銅鉄式安定器は、少なくとも安定器本体とコンデンサとを含む複数部品からなる。このため、全体の総容積としては銅鉄式安定器の方が電子式安定器よりも大きいものの、各部品を分散配置できる分、配置の自由度が高く、照明器具内のデッドスペースを有効利用できる。これにより、本考案では、安定器を照明器具に内蔵することによる器具本体の大型化を、電子式安定器を内蔵する場合と比較して、抑えることが可能となる。また、銅鉄式安定器は半導体を使用する電子式安定器よりも高温に対して強いから、器具本体に安定器を内蔵する場合に適している。
【００１０】
本考案のランプは、セラミックバルブを有するメタルハライドランプであることが望ましい。セラミックバルブを有するメタルハライドランプは、メタルハライドランプの中でも発光効率が高いから、従来と同等の照度を維持しながら、消費電力を抑えることができ、ランプ自体を小型・軽量化することができる。さらに、ランプからの発熱も抑えられるから、照明器具の熱籠もりを低減させることもできる。
【００１１】
本体カバーの下面に装着される下面カバーは、ランプに対応する領域に長円形の開口部を有した金属枠体と、その開口部を閉じるように前記金属枠体に取り付けられた透光性のグローブとから構成し、金属枠体には本体カバーのアーム固定部とは反対側となる端部において本体カバーに対して回動可能に取り付けられるヒンジ部を設け、金属枠体のヒンジ部とは反対側の端部に下面カバーを本体カバーに着脱可能に係止する係止手段を設ける構成が望ましい。
【００１２】
このような構成によれば、本体カバーに伝わったランプと銅鉄式安定器からの熱は、下面カバーの金属枠体を介しても放散させることができるから、さらに照明器具の熱籠もりを低減させることができる。
【００１３】
また、係止手段による係止を解けば、下面カバーはヒンジ部を介して本体カバーに連結されたまま、自重によって開放回動し、本体カバーの下面を開放して本体カバーから垂れ下がった形態となる。従って、照明器具内部のランプ交換などのメンテナンス作業を行う場合に、下面カバーを外して、外したカバーを別の場所に置き、作業後にまた取り付ける、といった手間を省くことができる。さらに、照明器具の下面を開放する形態により、照明器具内部が全域にわたって露出された状態になるから、作業効率を向上させることができる。
【００１４】
前記銅鉄式安定器は、安定器本体部と、コンデンサと、に分けて配置され、前記安定器本体部は、前記基板の前記ランプ寄りに取り付けられ、前記コンデンサは、前記基板の前記安定器本体部の取付位置よりも前記ランプから離れた位置に取り付けられることが望ましい。
これにより、安定器本体部に比較して熱に弱いコンデンサを、大きな発熱源であるランプから離して配置することができるから、ランプからの熱の影響を少なくするとともに、本体カバーを介しての放熱効率をさらに向上させることができる。
【考案の効果】
【００１５】
本考案によれば、熱籠もりの問題を生じさせることなく照明器具本体を小形・軽量化できる。また、安定器を本体に内蔵しているから、アームは単純な構造の共架形アームを採用でき、アーム自体の単価低減はもちろん、既設の電柱等を利用できるので、照明装置全体の設置コストを大幅に低減させることができる。しかも、高効率のメタルハライドランプを使用しているから、照明器具本体の低コスト化・省資源化だけでなく、照明コストとＣＯ２排出量の削減も図ることができる。
【図面の簡単な説明】
【００１６】
【図１】本実施形態に係る照明器具の側断面図
【図２】本実施形態に係る照明器具の下面カバーを外した状態の正面図
【図３】本実施形態に係る照明器具の正面図
【考案を実施するための形態】
【００１７】
＜実施形態１＞
本考案の実施形態１を図１ないし図３によって説明する。
図１に示す照明器具１０は、道路や公園などの街路に使用されるものであり、照明器具１０に図示しない金属製の共架アームを取り付け、その共架アームを介して図示しない電柱に設置するものである。
【００１８】
この照明器具１０は、外形が略楕円球状であり、上部を形成する本体カバー２０と、下面を形成する下面カバー３０とが備えられている。
本体カバー２０は、アルミダイキャスト製であって、下面を開放した形状をなしている。本体カバー２０の長手方向の一端側（図１の右側）には、図示しない器具固定用の共架アームを挿入し、固定するためのアーム固定部２１が形成されている。また、本体カバー１０の外周縁部には、防水パッキン２２が設けられており、本体カバー２０に下面カバー３０が組み付けられた状態では、この防水パッキン２２に下面カバー３０の周縁部が密着することで、照明器具１０内が水密に保たれるようになっている。
【００１９】
本体カバー２０の下面には、下部に向かって突出した円筒状の第１ボス部２３及び第２ボス部２４が一体に形成されている。この第１ボス部２３及び第２ボス部２４は、それぞれ本体カバー２０の上記長手方向と直交する方向の略中央に位置し、第２ボス部２４が、第１ボス部２３よりもアーム固定部２１側に形成されている。
【００２０】
第１ボス部２３には、後述するセラミックメタルハライドランプ１５からの光を反射して下側に向かって投光させる反射板１１が、下面からネジ止めされている。第２ボス部２４には、金属製の基板１２が同様に、下面からネジ止めされている。
【００２１】
基板１２は、本体カバー２０に取り付けた状態でアーム固定部２１下部に該当する位置を避けるように、コの字型形状をしている。取り付けられた基板１２の反射板１１側には、ランプソケット１３を取り付けるためのＬ字型の金属ブラケット１４が取り付けられている。金属ブラケット１４は、基板１２に沿うようにして固定されている固定面１４Ａと、下部のややアーム固定部２１側に傾いて延びるソケット固定面１４Ｂを有し、このソケット固定面１４Ｂに対して垂直に円筒状のランプソケット１３が取り付けられている。
【００２２】
なお、固定面１４Ａに固定されたランプソケット１３には、１１０Ｗのセラミックメタルハライドランプ１５が取り付けられている。セラミックメタルハライドランプ１５は、ソケット固定面１４Ｂと固定面１４Ａが成す傾きによって、その先端が下に向かって傾斜し、反射板１１の下部に配置されている。
【００２３】
基板１２のアーム固定部２１寄りには、図２に示すように、銅鉄式安定器４０が固定されている。銅鉄式安定器４０は、コンデンサ４１と安定器本体部４２とに分けて基板１２上に固定されており、コンデンサ４１は、アーム固定部２１の側部（図２の右下側）の部位に取り付けられている。一方、安定器本体部４２は、コンデンサ４１と、金属ブラケット１４に挟まれた部位の、本体カバー２０の長手方向と直交する方向においてコンデンサ４１とは反対側の位置（図２の右上側）に寄せて取り付けられている。
【００２４】
本体カバー２０の下側から取り付けられる下面カバー３０は、図３に示すように、本体カバー２０との合わせ面を有するアルミダイキャスト製の枠体３１と、枠体３１に取り付けられた透光性のグローブ３２とを備えている。
【００２５】
枠体３１は、本体カバー２０に取り付けられた反射板１１の下部に相当する位置に、略楕円形に形成された投光開口部３３を有し、その投光開口部３３にグローブ３２が、照明器具１０内側となる側（図１の上側）から嵌め込まれ、押さえリング３４によって枠体３１に固定されている。なお、投光開口部３３の外周縁部にはグローブ用パッキン３５が設けられ、投光開口部３３の内周縁部とグローブ３２の外周縁部との間をシールしている。
【００２６】
枠体３１のアーム固定部２１側とは反対側の端部には、ヒンジ部３６が設けられ、ヒンジ部３６によって、下面カバー３０は本体カバー２０に対して開閉自在に連結されている。また、枠体３１のうちヒンジ部３６とは反対側の端部には取付孔３７が形成され、ここに係止手段に相当する頭付きビス３８を挿入して本体カバー２０のアーム固定部２１に設けたネジ穴３９に螺合することで、下面カバー３０を本体カバー２０に対して係止できるようになっている。
【００２７】
次に、上記のように構成された本実施形態の作用及び効果について説明する。
照明器具１０を図示しない電柱に取り付けるには、まずアーム固定部２１に、図示しない金属製の共架アームを挿入して、ネジ止めする。一方、上記共架アーム内に貫通させた図示しない電線は、基板１２上に下部から取り付けられた端子台１６（図２参照）に接続されており、この端子台１６を介してランプソケット１３や銅鉄式安定器４０が電気的に接続されている。
【００２８】
照明器具１０に取り付けられた図示しない共架アームは、図示しない電柱に金属バンド等で固定する。本実施形態では、経済的な設置方法として図示しない共架アームを介して電柱に設置する方法を採用した。即ち、照明器具１０内に銅鉄式安定器４０を内蔵したことで、図示しない共架アームに銅鉄式安定器４０を内蔵する必要がなくなり、図示しない共架アームの低価格化を実現している。具体的には、安定器内蔵型の共架アームから、本考案の、安定器を内蔵しない共架アームに変更することで、共架アームの単価を約１/３にすることができる。さらには、照明器具１０内に銅鉄式安定器４０を内蔵したことで、図示しない共架アームを含めた照明器具１０全体を小形・軽量化できる。
【００２９】
照明器具１０を点灯すると、セラミックメタルハライドランプ１５の放熱によって反射板１１とランプソケット１３が加熱される。反射板１１が得た熱は、反射板１１がネジ止めされているアルミダイキャスト製の本体カバー２０に伝わり、本体カバー２０の外表面から空気中に放散される。また、ランプソケット１３が得た熱は、ランプソケット１３からランプソケット１３が取り付けられている金属ブラケット１４を介して金属製の基板１２に伝達され、基板１２がやはり本体カバー２０にネジ止めされているから、同様に本体カバー２０から空気中に放散される。なお、反射板１１はランプソケット１３と基板１２を区切るように湾曲しているから、セラミックメタルハライドランプ１５からの光及び熱は、反射板１１によって反射され、基板１２と基板１２に取り付けられる部品に対して、セラミックメタルハライドランプ１５からの熱が伝わりにくい構造となっている。
【００３０】
点灯装置である銅鉄式安定器４０もセラミックメタルハライドランプ１５と同じく発熱源であり、銅鉄式安定器４０の熱は、銅鉄式安定器４０が取り付けられている基板１２を介して、基板１２がネジ止めされている本体カバー２０に伝わり、本体カバー２０の外表面から空気中に放散される。ところで、銅鉄式安定器４０は、コンデンサ４１と安定器本体部４２とに分散配置されている（図２参照）。他の構成部品と比較して熱に弱いコンデンサ４１は、他の放熱源であるセラミックメタルハライドランプ１５、及びセラミックメタルハライドランプ１５を介して熱せられる反射板１１やランプソケット１３から離して配置することで、他の放熱源からの熱による影響を軽減することができる。また、銅鉄式安定器４０を含めた上記放熱源を照明器具１０内に分散して配置することで、照明器具１０としての放熱効率を向上させることができる。
なお、本体カバー２０に伝わった熱は、下面カバーを構成するアルミダイキャスト製の枠体３１を介しても、外表面から放熱される。
【００３１】
さらに、本実施形態では、アーム固定部２１に取り付けられている図示しない共架アームが金属製であることから、本体カバー２０に伝わった熱はこの図示しないアームを介しても空気中に放散され、照明器具１０の熱籠もりの問題を軽減することができる。
【００３２】
また、セラミックメタルハライドランプ１５は、メタルハライドランプの中でも発光効率が高いから、従来と同等の照度を維持しながら、ランプからの発熱を抑え、照明器具１０の熱籠もりを低減させることができる。具体的には、中形照明器具と２５０Ｗの蛍光水銀ランプを使用していた分野に、本実施形態では、１１０Ｗのセラミックメタルハライドランプ１５を適用した。これにより、２５０Ｗの水銀ランプを使用する場合と比較して、電気代は半分以下に抑えることができ、ＣＯ２排出量も削減することができる。なお、２５０Ｗ程度のランプ用の中形照明器具から１１０Ｗのランプを用いる本実施形態の照明器具１０に小形化したことで、銅鉄式安定器４０を除いた照明器具１０単価を上記中形照明器具単価と比較して、約８０％に抑えることができる。
【００３３】
メンテナンス作業等で、照明器具１０の下面を開放する場合には、下面カバー３０から頭付きビス３８を取り外す（図１参照）。すると、下面カバー３０はヒンジ部３６を軸に自重によって開放回動し、本体カバー２０から垂れ下がった状態で保持される。これにより、照明器具１０の下面を開放する場合に、下面カバー３０を本体カバー２０から一々取り外す必要がなくなり、作業性をよくすることができる。さらに、本体カバー２０の長手方向のヒンジ部３６とは反対側に基板１２が取り付けられていることで、基板上１２に取り付けられた部品（例えばランプソケット１３や銅鉄式安定器４０）のメンテナンスに際して、ヒンジ部３６から垂れ下がった下面カバー３０が作業の邪魔になることがなく、作業性をよくすることができる。
【００３４】
また、照明器具１０内部を構成する部品が、本体カバー１０の下方の同方向から取り付けられ、さらに下面カバー３０を除く照明器具１０の主な構成部品が上下方向に重なり合うことなく、横並びに配置されている。これにより、下面カバー３０を開放すれば、上記構成部品が遮られることなく露出されるから、メンテナンス性がよくすることができる。
【００３５】
＜他の実施形態＞
本考案の技術的範囲は上記記述及び図面によって説明した実施形態に限定されるものではなく、例えば次のような実施形態も本考案の技術的範囲に含まれる。
【００３６】
（１）上記実施形態では、下面カバー３０の係止手段として頭付きビス３８を用いているが、これに限らず、例えばラッチによって上面カバー２０と下面カバー３０をロックする構成となっていてもよい。これにより、下面カバー３０を開閉する際の作業性をよくすることができる。
（２）上記実施形態では、下面カバー３０は、グローブ３２を備えた枠体３１から形成されているが、これに限らず、例えば、下面カバー３０の全域が、透光性のグローブ３２であってもよい。
【符号の説明】
【００３７】
１０…照明器具
１１…反射板
１２…基板
１３…ランプソケット
１４…金属ブラケット
１５…セラミックメタルハライドランプ
２０…本体カバー
２１…アーム固定部
３０…下面カバー
３２…グローブ
４０…銅鉄式安定器
【図１】
0003154147.tif 000003
【図２】
0003154147.tif 000004
【図３】
0003154147.tif 000005